(57)【特許請求の範囲】
【請求項１】
複数種類の交換レンズが選択的に装着されるレンズ装着部と、
前記レンズ装着部に前記交換レンズが装着された状態で撮影を行う撮影部と、
前記レンズ装着部に装着された前記交換レンズのレンズ種別を検出するレンズ種別検出部と、
前記レンズ種別検出部によって検出された前記交換レンズの前記レンズ種別毎に、前記レンズ装着部に装着された装着回数、および前記撮影部による撮影回数をカウントして装置本体または前記交換レンズに設けられた記憶部に記憶させる制御部と、
前記撮影部の撮影機能を設定可能とする設定メニューを表示するメニュー表示部と、
前記レンズ装着部に前記交換レンズが装着された場合に、前記レンズ種別検出部によって検出された前記レンズ種別と、前記記憶部に記憶された前記装着回数および前記撮影回数のうちの前記レンズ種別検出部によって検出された前記レンズ種別に対応する装着回数および撮影回数とに応じて、前記設定メニューを変更する設定メニュー変更部と、
を備えた撮影装置。
【請求項２】
前記メニュー表示部は、前記設定メニューとして、複数の設定項目から選択された複数の表示用設定項目を表示する請求項１に記載の撮影装置。
【請求項３】
前記設定メニュー変更部は、前記レンズ種別と前記装着回数とに応じて、前記設定メニューとして表示する前記表示用設定項目を変更する請求項２に記載の撮影装置。
【請求項４】
前記設定メニュー変更部は、前記レンズ種別と前記装着回数とに応じて、前記設定メニューとして表示する前記表示用設定項目を変更する請求項２に記載の撮影装置。
【請求項５】
前記設定メニュー変更部は、前記レンズ種別と前記装着回数とに応じて、前記設定メニューとして表示する前記表示用設定項目の数を変更する請求項２に記載の撮影装置。
【請求項６】
前記設定メニュー変更部は、前記撮影回数に比例する重み値に基づいて重み付けした前記装着回数を用いる請求項３〜５のいずれか１項に記載の撮影装置。
【請求項７】
前記設定メニュー変更部は、前記レンズ種別と前記撮影回数とに応じて、前記設定メニューとして表示する前記表示用設定項目を変更する請求項２に記載の撮影装置。
【請求項８】
前記設定メニュー変更部は、前記レンズ種別と前記撮影回数とに応じて、前記設定メニューとして表示する前記表示用設定項目を変更する請求項２に記載の撮影装置。
【請求項９】
前記設定メニュー変更部は、前記レンズ種別と前記撮影回数とに応じて、前記設定メニューとして表示する前記表示用設定項目の数を変更する請求項２に記載の撮影装置。
【請求項１０】
前記設定メニュー変更部は、前記装着回数に比例する重み値に基づいて重み付けした前記撮影回数を用いる請求項７〜９のいずれか１項に記載の撮影装置。
【請求項１１】
前記制御部は、前記レンズ種別検出部によって検出された前記交換レンズの前記レンズ種別毎に、前記レンズ装着部に前記交換レンズが装着された装着累積時間をカウントして前記記憶部に記憶させ、
前記設定メニュー変更部は、前記装着回数および前記撮影回数に加えて、前記装着累積時間に応じて設定メニューを変更する請求項１〜１０のいずれか１項に記載の撮影装置。
【請求項１２】
前記設定メニュー変更部は、前記レンズ種別と前記装着累積時間とに応じて、前記設定メニューとして表示する表示用設定項目を変更する請求項１１に記載の撮影装置。
【請求項１３】
前記設定メニュー変更部は、前記レンズ種別と前記装着累積時間とに応じて、前記設定メニューとして表示する表示用設定項目の順序を変更する請求項１１に記載の撮影装置。
【請求項１４】
前記設定メニュー変更部は、前記レンズ種別と前記装着累積時間とに応じて、前記設定メニューとして表示する表示用設定項目の数を変更する請求項１１に記載の撮影装置。
【請求項１５】
前記設定メニュー変更部は、前記装着回数または前記撮影回数のいずれか１つに比例する重み値を用いて重み付した前記装着累積時間を用いる請求項１２〜１４のいずれか１項に記載の撮影装置。
【請求項１６】
前記設定メニュー変更部は、前記レンズ種別検出部によって検出された前記レンズ種別が特定のレンズ種別であって、前記特定のレンズ種別に対応する前記装着回数、前記装着累積時間、および前記撮影回数の少なくともいずれか１つが設定値以上である場合、前記設定メニューを変更する請求項１１〜１５のいずれか１項に記載の撮影装置。
【請求項１７】
前記設定メニュー変更部は、前記レンズ種別検出部によって検出された前記レンズ種別が特定のレンズ種別であって、前記特定のレンズ種別である複数種類の前記交換レンズに対応する前記装着回数、前記装着累積時間、および前記撮影回数の少なくともいずれか１つの合計が設定値以上である場合に、前記設定メニューを変更する請求項１１〜１５のいずれか１項に記載の撮影装置。
【請求項１８】
前記設定メニュー変更部は、前記特定のレンズ種別である複数種類の前記交換レンズに対応する前記装着回数、前記装着累積時間、および前記撮影回数のいずれか２つ以上の合計が設定値以上である場合に、前記設定メニューを初期値にリセットし、
前記制御部は、前記設定メニュー変更部によって前記設定メニューが初期値にリセットされた場合に、前記記憶部に記憶されたカウント数を初期値にリセットする請求項１７に記載の撮影装置。
【請求項１９】
前記装置本体または前記交換レンズに設けられた前記記憶部とは異なる履歴記憶部を備え、
前記制御部は、前記設定メニュー変更部によって前記設定メニューが初期値にリセットされた場合に、前記記憶部に記憶されたカウント数を初期値にリセットし、かつ前記レンズ種別毎に記憶したリセット前の前記装着回数、前記装着累積時間、および前記撮影部による撮影回数を前記履歴記憶部に記憶させる請求項１８に記載の撮影装置。
【請求項２０】
位置情報を取得する位置情報取得部と、
前記レンズ装着部に交換レンズが装着された際の装着時刻、前記レンズ装着部から前記交換レンズが取り外された際の装着解除時刻、および前記撮影部による撮影時刻を取得する時刻取得部とを備え、
前記制御部は、前記交換レンズの前記レンズ種別毎に、前記装着時刻、装着解除時刻および前記撮影時刻において前記位置情報取得部で取得した前記位置情報と、前記装着時刻と、前記装着解除時刻と、前記撮影時刻とを関連付けて前記記憶部に記憶させる請求項１〜１０のいずれか１項に記載の撮影装置。
【請求項２１】
前記制御部は、前記レンズ種別検出部によって検出された前記レンズ種別が特定のレンズ種別であって、前記特定のレンズ種別に対応し、かつ前記位置情報取得部で取得した現在の位置情報および現在時刻の少なくとも一方と、前記記憶部に記憶された前記位置情報および前記撮影時刻とが一致する場合に、前記位置情報および前記撮影時刻と関連付けられた前記装着時刻および前記装着解除時刻を読み出して前記レンズ装着部に前記交換レンズが装着された装着累積時間を算出し、
前記設定メニュー変更部は、前記装着回数、前記装着累積時間、および前記撮影回数の少なくともいずれか１つが設定値以上の場合、前記設定メニューを変更する請求項２０に記載の撮影装置。
【請求項２２】
前記制御部は、前記レンズ種別検出部によって検出された前記レンズ種別が特定のレンズ種別である複数種類の前記交換レンズに対応し、かつ前記位置情報取得部で取得した現在の位置情報および現在時刻の少なくとも一方と、前記記憶部に記憶された前記位置情報および前記撮影時刻とが一致する場合に、前記位置情報および前記撮影時刻と関連付けられた前記装着時刻および前記装着解除時刻を読み出して前記レンズ装着部に前記交換レンズが装着された装着累積時間を算出し、
前記設定メニュー変更部は、前記装着回数、前記装着累積時間、および前記撮影回数の少なくともいずれか１つが設定値以上の場合、前記設定メニューを変更する請求項２０に記載の撮影装置。
【請求項２３】
前記設定メニュー変更部は、前記装着回数、前記装着累積時間、および前記撮影回数の少なくともいずれか２つが設定値以上の場合、前記設定メニューを初期値にリセットし、
前記制御部は、前記設定メニュー変更部によって前記設定メニューが初期値にリセットされた場合に、前記記憶部に記憶されたカウント数を初期値にリセットする請求項２１または２２に記載の撮影装置。
【請求項２４】
前記装置本体または前記交換レンズに設けられた前記記憶部とは異なる履歴記憶部を備え、
前記制御部は、前記設定メニュー変更部によって前記設定メニューが初期値にリセットされた場合に、前記記憶部に記憶されたカウント数を初期値にリセットし、かつ前記レンズ種別毎に記憶したリセット前の前記装着回数、前記装着累積時間、および前記撮影回数を前記履歴記憶部に記憶させる請求項２３に記載の撮影装置。
【請求項２５】
前記設定メニュー変更部は、前記レンズ種別検出部によって検出された前記レンズ種別が前記特定のレンズ種別である複数種類の前記交換レンズに対応し、かつ前記位置情報取得部で取得した現在の位置情報、および現在時刻の少なくとも一方と、前記記憶部に記憶された前記位置情報、および前記撮影時刻が一致する場合における前記装着回数、前記装着累積時間、および前記撮影回数の全てが設定値未満の場合、前記履歴記憶部に記憶された前記リセット前の前記装着回数、前記装着累積時間、および前記撮影回数に応じて前記設定メニューを変更する請求項２４に記載の撮影装置。
【請求項２６】
前記設定メニュー変更部は、変倍レンズの移動により撮影光学系の焦点が可変であるズームレンズを前記特定のレンズ種別とする請求項２１〜２５のいずれか１項に記載の撮影装置。
【請求項２７】
前記設定メニュー変更部は、前記レンズ種別検出部によって検出された前記レンズ種別が前記ズームレンズであって、前記ズームレンズに対応する前記装着回数、前記装着累積時間、および前記撮影回数の少なくともいずれか１つが設定値以上である場合、前記設定メニューとして表示する表示用設定項目の数を初期値よりも少なくする請求項２６に記載の撮影装置。
【請求項２８】
前記設定メニュー変更部は、前記設定メニューとして表示する前記表示用設定項目の数を初期値よりも少なくする場合に、フォーカス設定項目、フラッシュ設定項目、動画設定項目の少なくともいずれか１つの表示用設定項目を削除する請求項２７に記載の撮影装置。
【請求項２９】
前記設定メニュー変更部は、撮影光学系の焦点が固定された固定焦点レンズを前記特定のレンズ種別とする請求項２１〜２５のいずれか１項に記載の撮影装置。
【請求項３０】
前記設定メニュー変更部は、前記レンズ種別検出部によって検出された前記レンズ種別が前記固定焦点レンズであって、前記固定焦点レンズである複数種類の前記交換レンズに対応する前記撮影回数の合計が一定回数以上である場合、前記設定メニューとして表示する表示用設定項目の数を初期値よりも多くする請求項２９に記載の撮影装置。
【請求項３１】
前記設定メニュー変更部は、広角レンズを前記特定のレンズ種別とする請求項２１〜２５のいずれか１項に記載の撮影装置。
【請求項３２】
前記設定メニュー変更部は、前記レンズ種別検出部によって検出された前記レンズ種別が前記広角レンズであって、前記広角レンズである複数種類の前記交換レンズに対応する前記装着回数、前記装着累積時間、および前記撮影回数の少なくともいずれか１つの合計が設定値以上である場合、前記設定メニューとして風景撮影に適した表示用設定項目を表示させる請求項３１に記載の撮影装置。
【請求項３３】
前記設定メニュー変更部は、大口径レンズを前記特定のレンズ種別とする請求項２１〜２５のいずれか１項に記載の撮影装置。
【請求項３４】
前記設定メニュー変更部は、前記レンズ種別検出部によって検出された前記レンズ種別が前記大口径レンズであって、前記大口径レンズである複数種類の前記交換レンズに対応する前記装着回数、前記装着累積時間、および前記撮影回数の少なくともいずれか１つの合計が設定値以上である場合、前記設定メニューとして夜景撮影またはポートレート撮影に適した表示用設定項目を表示させる請求項３３に記載の撮影装置。
【請求項３５】
請求項１〜３４のいずれか１項に記載の撮影装置の前記レンズ装着部に装着され、前記記憶部が設けられた交換レンズ。
【請求項３６】
複数種類の交換レンズが選択的に装着されるレンズ装着部に装着された前記交換レンズのレンズ種別を検出するステップと、
前記交換レンズの前記レンズ種別毎に、前記レンズ装着部に装着された装着回数、および前記レンズ装着部に前記交換レンズが装着された状態で撮影を行う撮影回数をカウントするステップと、
前記装着回数および前記撮影回数を記憶させるステップと、
撮影機能を設定可能とする設定メニューを表示するステップと、
前記レンズ装着部に前記交換レンズが装着された場合に、前記レンズ種別と、前記レンズ種別に対応する装着回数および撮影回数とに応じて、前記設定メニューを変更するステップとを行う撮影装置の制御方法。
【発明の詳細な説明】
【技術分野】
【０００１】
本発明は、複数種類の交換レンズが選択的に装着される撮影装置及びその制御方法、並びに交換レンズに関するものである。
【背景技術】
【０００２】
デジタルカメラ等の撮影装置には、高品質な画像を撮影するために、様々な撮影機能を有しているものがある。このような撮影装置では、表示パネルに設定メニューを表示し、設定メニューに基づいて撮影機能を設定可能とすることが一般的である。【０００３】
一方、カメラ本体に対して複数種類の交換レンズが選択的に装着されるレンズ交換式デジタルカメラが知られている。特許文献１、２には、カメラ本体に交換レンズが装着された場合、交換レンズに設けられた記憶手段にアクセスし、交換レンズの固有情報を自動的に取得するデジタルカメラについて開示されている。これらのデジタルカメラは、交換レンズの固有情報に応じて設定メニューを変更する。
【先行技術文献】
【特許文献】
【０００４】
【特許文献１】特開２００４−２４７９８３号公報
【特許文献２】特開２０１２−９５１６７号公報
【発明の概要】
【発明が解決しようとする課題】
【０００５】
レンズ交換式デジタルカメラのような上級者向けの撮影装置では、撮影機能の増加に伴い、設定メニューにおける設定項目も増加する傾向にある。このため、ユーザーが使用したい撮影機能を設定するための設定項目がなかなか見つけられないという問題がある。【０００６】
上記特許文献１，２に記載されたデジタルカメラでは、交換レンズの固有情報に応じて設定メニューが変更されるため、ユーザーが使用したい撮影機能を設定するための設定項目が表示されない場合もあった。特に、ユーザーが通常使用しているものとは異なる交換レンズを装着した場合、設定メニューも通常とは異なるものに変更されるため、使い勝手が良くない。【０００７】
本発明は、ユーザーの使用状況に合わせて設定メニューの表示内容を適切に変更することができる撮影装置及びその制御方法、並びに交換レンズを提供することを目的とする。
【課題を解決するための手段】
【０００８】
本発明の撮影装置は、レンズ装着部と、撮影部と、レンズ種別検出部と、制御部と、メニュー表示部と、レンズ種別と、設定メニュー変更部とを備える。レンズ装着部は、複数種類の交換レンズが選択的に装着される。撮影部は、レンズ装着部に交換レンズが装着された状態で撮影を行う。レンズ装着部に装着された交換レンズのレンズ種別を検出する。制御部は、レンズ種別検出部によって検出された交換レンズのレンズ種別毎に、レンズ装着部に装着された装着回数、および撮影部による撮影回数をカウントして装置本体または交換レンズに設けられた記憶部に記憶させる。メニュー表示部は、撮影部の撮影機能を設定可能とする設定メニューを表示する。設定メニュー変更部は、レンズ装着部に交換レンズが装着された場合に、レンズ種別検出部によって検出されたレンズ種別と、記憶部に記憶された装着回数および撮影回数のうちのレンズ種別検出部によって検出されたレンズ種別に対応する装着回数および撮影回数とに応じて、設定メニューを変更する。【０００９】
メニュー表示部は、設定メニューとして、複数の設定項目から選択された複数の表示用設定項目を表示することが好ましい。設定メニュー変更部は、レンズ種別と装着回数とに応じて、設定メニューとして表示する表示用設定項目を変更することが好ましい。【００１０】
設定メニュー変更部は、レンズ種別と装着回数とに応じて、設定メニューとして表示する表示用設定項目を変更することが好ましい。設定メニュー変更部は、レンズ種別と装着回数とに応じて、設定メニューとして表示する表示用設定項目の数を変更することが好ましい。設定メニュー変更部は、撮影回数に比例する重み値に基づいて重み付けした装着回数を用いることが好ましい。【００１１】
設定メニュー変更部は、レンズ種別と撮影回数とに応じて、設定メニューとして表示する表示用設定項目を変更することが好ましい。設定メニュー変更部は、レンズ種別と撮影回数とに応じて、設定メニューとして表示する表示用設定項目を変更することが好ましい。【００１２】
設定メニュー変更部は、レンズ種別と撮影回数とに応じて、設定メニューとして表示する表示用設定項目の数を変更することが好ましい。設定メニュー変更部は、装着回数に比例する重み値に基づいて重み付けした撮影回数を用いることが好ましい。【００１３】
制御部は、レンズ種別検出部によって検出された交換レンズのレンズ種別毎に、レンズ装着部に交換レンズが装着された装着累積時間をカウントして記憶部に記憶させ、設定メニュー変更部は、装着回数および撮影回数に加えて、装着累積時間に応じて設定メニューを変更することが好ましい。【００１４】
設定メニュー変更部は、レンズ種別と装着累積時間とに応じて、設定メニューとして表示する表示用設定項目を変更することが好ましい。設定メニュー変更部は、レンズ種別と装着累積時間とに応じて、設定メニューとして表示する表示用設定項目の順序を変更することが好ましい。【００１５】
設定メニュー変更部は、レンズ種別と装着累積時間とに応じて、設定メニューとして表示する表示用設定項目の数を変更することが好ましい。設定メニュー変更部は、装着回数または撮影回数のいずれか１つに比例する重み値を用いて重み付した装着累積時間を用いることが好ましい。【００１６】
設定メニュー変更部は、レンズ種別検出部によって検出されたレンズ種別が特定のレンズ種別であって、特定のレンズ種別に対応する装着回数、装着累積時間、および撮影回数の少なくともいずれか１つが設定値以上である場合、設定メニューを変更することが好ましい。【００１７】
設定メニュー変更部は、レンズ種別検出部によって検出されたレンズ種別が特定のレンズ種別であって、特定のレンズ種別である複数種類の交換レンズに対応する装着回数、装着累積時間、および撮影回数の少なくともいずれか１つの合計が設定値以上である場合に、設定メニューを変更することが好ましい。【００１８】
設定メニュー変更部は、特定のレンズ種別である複数種類の交換レンズに対応する装着回数、装着累積時間、および撮影回数のいずれか２つ以上の合計が設定値以上である場合に、設定メニューを初期値にリセットし、制御部は、設定メニュー変更部によって設定メニューが初期値にリセットされた場合に、記憶部に記憶されたカウント数を初期値にリセットすることが好ましい。【００１９】
装置本体または交換レンズに設けられた記憶部とは異なる履歴記憶部を備え、制御部は、設定メニュー変更部によって設定メニューが初期値にリセットされた場合に、記憶部に記憶されたカウント数を初期値にリセットし、かつレンズ種別毎に記憶したリセット前の装着回数、装着累積時間、および撮影部による撮影回数を履歴記憶部に記憶させることが好ましい。【００２０】
位置情報を取得する位置情報取得部と、レンズ装着部に交換レンズが装着された際の装着時刻、レンズ装着部から交換レンズが取り外された際の装着解除時刻、および撮影部による撮影時刻を取得する時刻取得部とを備え、制御部は、交換レンズのレンズ種別毎に、装着時刻、装着解除時刻および撮影時刻において位置情報取得部で取得した位置情報と、装着時刻と、装着解除時刻と、撮影時刻とを関連付けて記憶部に記憶させることが好ましい。【００２１】
制御部は、レンズ種別検出部によって検出されたレンズ種別が特定のレンズ種別であって、特定のレンズ種別に対応し、かつ位置情報取得部で取得した現在の位置情報および現在時刻の少なくとも一方と、記憶部に記憶された位置情報および撮影時刻とが一致する場合に、位置情報および撮影時刻と関連付けられた装着時刻および装着解除時刻を読み出してレンズ装着部に交換レンズが装着された装着累積時間を算出し、設定メニュー変更部は、装着回数、装着累積時間、および撮影回数の少なくともいずれか１つが設定値以上の場合、設定メニューを変更することが好ましい。【００２２】
制御部は、レンズ種別検出部によって検出されたレンズ種別が特定のレンズ種別である複数種類の交換レンズに対応し、かつ位置情報取得部で取得した現在の位置情報および現在時刻の少なくとも一方と、記憶部に記憶された位置情報および撮影時刻とが一致する場合に、位置情報および撮影時刻と関連付けられた装着時刻および装着解除時刻を読み出してレンズ装着部に交換レンズが装着された装着累積時間を算出し、設定メニュー変更部は、装着回数、装着累積時間、および撮影回数の少なくともいずれか１つが設定値以上の場合、設定メニューを変更することが好ましい。【００２３】
設定メニュー変更部は、装着回数、装着累積時間、および撮影回数の少なくともいずれか２つが設定値以上の場合、設定メニューを初期値にリセットし、制御部は、設定メニュー変更部によって設定メニューが初期値にリセットされた場合に、記憶部に記憶されたカウント数を初期値にリセットすることが好ましい。【００２４】
装置本体または交換レンズに設けられた記憶部とは異なる履歴記憶部を備え、制御部は、設定メニュー変更部によって設定メニューが初期値にリセットされた場合に、記憶部に記憶されたカウント数を初期値にリセットし、かつレンズ種別毎に記憶したリセット前の装着回数、装着累積時間、および撮影回数を履歴記憶部に記憶させることが好ましい。【００２５】
設定メニュー変更部は、レンズ種別検出部によって検出されたレンズ種別が特定のレンズ種別である複数種類の交換レンズに対応し、かつ位置情報取得部で取得した現在の位置情報、および現在時刻の少なくとも一方と、記憶部に記憶された位置情報、および撮影時刻が一致する場合における装着回数、装着累積時間、および撮影回数の全てが設定値未満の場合、履歴記憶部に記憶されたリセット前の装着回数、装着累積時間、および撮影回数に応じて設定メニューを変更することが好ましい。【００２６】
設定メニュー変更部は、変倍レンズの移動により撮影光学系の焦点が可変であるズームレンズを特定のレンズ種別とすることが好ましい。設定メニュー変更部は、レンズ種別検出部によって検出されたレンズ種別がズームレンズであって、ズームレンズに対応する装着回数、装着累積時間、および撮影回数の少なくともいずれか１つが設定値以上である場合、設定メニューとして表示する表示用設定項目の数を初期値よりも少なくすることが好ましい。【００２７】
設定メニュー変更部は、設定メニューとして表示する表示用設定項目の数を初期値よりも少なくする場合に、フォーカス設定項目、フラッシュ設定項目、動画設定項目の少なくともいずれか１つの表示用設定項目を削除することが好ましい。【００２８】
設定メニュー変更部は、撮影光学系の焦点が固定された固定焦点レンズを特定のレンズ種別とすることが好ましい。設定メニュー変更部は、レンズ種別検出部によって検出されたレンズ種別が固定焦点レンズであって、固定焦点レンズである複数種類の交換レンズに対応する撮影回数の合計が一定回数以上である場合、設定メニューとして表示する表示用設定項目の数を初期値よりも多くすることが好ましい。【００２９】
設定メニュー変更部は、広角レンズを特定のレンズ種別とする請求項２１〜２５のいずれか１項に記載の撮影装置。設定メニュー変更部は、レンズ種別検出部によって検出されたレンズ種別が広角レンズであって、広角レンズである複数種類の交換レンズに対応する装着回数、装着累積時間、および撮影回数の少なくともいずれか１つの合計が設定値以上である場合、設定メニューとして風景撮影に適した表示用設定項目を表示させることが好ましい。【００３０】
設定メニュー変更部は、大口径レンズを特定のレンズ種別とすることが好ましい。設定メニュー変更部は、レンズ種別検出部によって検出されたレンズ種別が大口径レンズであって、大口径レンズである複数種類の交換レンズに対応する装着回数、装着累積時間、および撮影回数の少なくともいずれか１つの合計が設定値以上である場合、設定メニューとして夜景撮影またはポートレート撮影に適した表示用設定項目を表示させることが好ましい。【００３１】
本発明の交換レンズは、撮影装置のレンズ装着部に装着され、記憶部が設けられている。【００３２】
本発明の撮影装置の制御方法は、レンズ装着部に装着された交換レンズのレンズ種別を検出するステップと、交換レンズのレンズ種別毎に、レンズ装着部に装着された装着回数、およびレンズ装着部に交換レンズが装着された状態で撮影を行う撮影回数をカウントするステップと、装着回数および撮影回数を記憶させるステップと、撮影機能を設定可能とする設定メニューを表示するステップと、レンズ装着部に交換レンズが装着された場合に、レンズ種別と、レンズ種別に対応する装着回数および撮影回数とに応じて、設定メニューを変更するステップとを行う。
【発明の効果】
【００３３】
本発明によれば、ユーザーの使用状況に合わせて設定メニューの表示内容を適切に変更することができる。
【図面の簡単な説明】
【００３４】
【図１】レンズ交換式デジタルカメラの正面側外観斜視図である。
【図２】交換レンズおよびカメラ本体の外観斜視図である。
【図３】レンズ交換式デジタルカメラの背面側外観斜視図である。
【図４】レンズ交換式デジタルカメラの構成を示すブロック図である。
【図５】設定メニューの一例を示す表示画面の説明図である。
【図６】設定メニューで画質モードの表示用設定項目を選択した場合の選択候補一覧を示す表示画面の説明図である。
【図７】設定メニューで顔検出／瞳ＡＦ設定の表示用設定項目を選択した場合の選択候補一覧を示す表示画面の説明図である。
【図８】設定メニューでセルフタイマーの表示用設定項目を選択した場合の選択候補一覧を示す表示画面の説明図である。
【図９】設定メニューでシャッタ方式の表示用設定項目を選択した場合の選択候補一覧を示す表示画面の説明図である。
【図１０】設定メニューで感度ＡＵＴＯ設定の表示用設定項目を選択した場合の選択候補一覧を示す表示画面の説明図である。
【図１１】設定メニューでフラッシュモードの表示用設定項目を選択した場合の選択候補一覧を示す表示画面の説明図である。
【図１２】設定メニューで動画モードの表示用設定項目を選択した場合の選択候補一覧を示す表示画面の説明図である。
【図１３】設定メニューの別の例を示す表示画面の説明図である。
【図１４】本体側記憶部にレンズ種別毎の装着回数および撮影回数をカウントして記憶する構成を説明する概略図である。
【図１５】設定モード下で設定メニューを表示する際の処理を説明するフローチャートである。
【図１６】第２実施形態の本体側記憶部にレンズ種別毎の装着回数および撮影回数をカウントして記憶する構成を説明する概略図である。
【図１７】第２実施形態の設定モード下で設定メニューを表示する際の処理を説明するフローチャートである。
【図１８】第３実施形態の本体側記憶部にレンズ種別毎の装着回数および撮影回数をカウントして記憶する構成を説明する概略図である。
【図１９】第３実施形態の設定モード下で設定メニューを表示する際の処理を説明するフローチャートである。
【図２０】第４実施形態のレンズ交換式デジタルカメラの構成を示すブロック図である。
【図２１】第４実施形態の設定モード下で設定メニューを表示する際の処理を説明するフローチャートである。
【図２２】第５実施形態のレンズ交換式デジタルカメラの構成を示すブロック図である。
【図２３】第５実施形態の本体側記憶部にレンズ種別毎の装着回数および撮影回数をカウントして記憶する構成を説明する概略図である。
【図２４】第５実施形態の設定モード下で設定メニューを表示する際の処理を説明するフローチャートである。
【図２５】第６実施形態の設定モード下で設定メニューを表示する際の処理を説明するフローチャートである。
【図２６】第６実施形態の変形例の設定モード下で設定メニューを表示する際の処理を説明するフローチャートである。
【発明を実施するための形態】
【００３５】
［第１実施形態］
図１および図２において、レンズ交換式デジタルカメラ（以下、カメラと称する）１０は、カメラ本体１１と、交換レンズ１２とを備える。カメラ１０は、いわゆるミラーレス一眼タイプのデジタルカメラである。交換レンズ１２としては、後述するように、標準レンズや、広角レンズ、望遠レンズなど複数種類のものが存在する。
【００３６】
カメラ本体１１は、その上面に電源レバー１３、レリーズスイッチ１４、露出補正ダイヤル１５、シャッタスピード／ＩＳＯ感度ダイヤル１６、ホットシュー１７などを備える。レリーズスイッチ１４は、いわゆる「半押し」と「全押し」とを可能とする２段ストローク式のスイッチである。レリーズスイッチ１４は、半押しされることによってＳ１オンの信号を出力し、半押しから更に押し込む全押しが行われることによってＳ２オンの信号を出力する。カメラ１０は、レリーズスイッチ１４からＳ１オン信号が出力されると自動焦点調節（ＡＦ（Auto Focus）処理）や自動露出制御などの撮影準備処理を実行し、Ｓ２オン信号が出力されると撮影処理を実行する。
【００３７】
ホットシュー１７は、外付けフラッシュ装置１８（図３参照）を装着するための装着部である。ホットシュー１７に外付けフラッシュ装置１８を装着することにより、カメラ１０と外付けフラッシュ装置１８とが電気的に接続される。
【００３８】
カメラ本体１１の前面には、マウント１９と、光学ファインダ窓２０とが設けられている。マウント１９は、本発明のレンズ装着部に相当し、複数種類の交換レンズ１２が選択的に装着される。交換レンズ１２が取り付けられるマウント１９の内部には、交換レンズ１２と電気的に接続するためのボディ側信号接点１９Ａと、固体撮像素子２１とが設けられている。
【００３９】
図３に示すように、カメラ本体１１の背面には、背面表示部２２と、複数の操作ボタン２３と、ファインダ接眼部２４などが設けられている。背面表示部２２は、ライブビュー画像の表示、撮影済み画像の再生、および設定メニューの表示などに用いられるメニュー表示部である。複数の操作ボタン２３は、各種設定操作などに用いられる。背面表示部２２は、例えばＬＣＤパネルで構成されている。ファインダ接眼部２４は、光学ファインダ窓２０を通した像を用いる光学ファインダと、固体撮像素子２１により撮像した画像を用いる電子ファインダとに切り換え可能である。電子ファインダに切り換えられた場合には、ファインダ接眼部２４の奥に配置したＬＣＤからなるＥＶＦ（Electronic View Finder）パネル５９（図４参照）に、固体撮像素子２１で撮像したライブビュー画像が表示される。
【００４０】
図２に示すように、交換レンズ１２は、鏡筒部２５、撮影光学系２６、フォーカスリング２７、絞り操作リング２８、ズームリング２９、レンズマウント３０などを備える。鏡筒部２５は、円筒形状で内部に撮影光学系２６を収納し、後端にレンズマウント３０が設けられている。撮影光学系２６は、交換レンズ１２がカメラ本体１１に装着された場合、固体撮像素子２１に被写体光を結像する。固体撮像素子２１は、交換レンズ１２から射出された光を撮像する撮像部である。
【００４１】
レンズマウント３０は、カメラ本体１１のマウント１９に着脱自在に結合される。レンズマウント３０には、レンズ側信号接点３０Ａが設けられている。レンズ側信号接点３０Ａは、交換レンズ１２のレンズマウント３０がカメラ本体１１のマウントに結合された際にボディ側信号接点１９Ａと接触し、交換レンズ１２とカメラ本体１１とを電気的に接続する。
【００４２】
図４に示すように、交換レンズ１２は、撮影光学系２６、フォーカスリング２７、絞り操作リング２８などの他、レンズ制御部３１、モータドライバ３２，モータ３３，３４、レンズ側記憶部３５、ズーム機構３６、およびセンサ３７，３８などを備える。レンズ側記憶部３５は、例えばＥＥＰＲＯＭ（Electrically Erasable Programmable Read-Only Memory）などの不揮発性メモリから構成される。レンズ側記憶部３５には、交換レンズ１２のレンズ種別とレンズＩＤ（Identification Data）とが記憶されている。なお、これに限らず、レンズＩＤの中にレンズ種別の情報が含まれるようにしてもよい。
【００４３】
レンズ制御部３１は、ＣＰＵ（Central Processing Unit）と、このＣＰＵで使用されるプログラムやパラメータを記憶したＲＯＭ（Read Only Memory）と、ＣＰＵのワークメモリとして使用されるＲＡＭ（Random Access Memory）（いずれも図示せず）などを備えたマイクロコンピュータからなり、交換レンズ１２の各部を制御する。レンズ制御部３１には、モータドライバ３２、レンズ側記憶部３５、およびセンサ３７，３８が接続されている。
【００４４】
撮影光学系２６は、フォーカスレンズ３９、変倍レンズ４０を含む複数のレンズ、絞りユニット４１などを備える。フォーカスレンズ３９は、モータ３３の駆動により光軸Ｌの方向に移動し、撮影距離を調節する。絞りユニット４１は、モータ３４の駆動により複数枚の絞り羽根４１ａを移動させ、固体撮像素子２１への入射光量を変化させる。モータドライバ３２は、レンズ制御部３１の制御に基づき、モータ３３，３４の駆動を制御する。
【００４５】
ズーム機構３６は、ズームリング２９の回転動作を直線移動に変換して変倍レンズ４０を移動させるマニュアルズーム機構である。変倍レンズ４０は、ズーム機構３６の駆動により光軸Ｌ方向に移動し、画角を変更する。
【００４６】
カメラ本体１１は、上述したレリーズスイッチ１４、固体撮像素子２１、背面表示部２２、およびＥＶＦパネル５９の他、本体制御部５０、シャッタユニット５１、モータドライバ５２、画像メモリ５３、画像データ処理部５４、ＡＦ処理部５５、ＬＣＤドライバ５６、およびカードＩ／Ｆ（Interface）５７、本体側記憶部５８などを有し、これらはバスライン６０により接続されている。
【００４７】
本体制御部５０は、本発明の制御部に相当し、ＣＰＵと、このＣＰＵで使用されるプログラムやパラメータを記憶したＲＯＭと、ＣＰＵのワークメモリとして使用されるＲＡＭ（いずれも図示せず）などを備えている。本体制御部５０は、カメラ本体１１と、カメラ本体１１に接続された交換レンズ１２の各部を制御する。本体制御部５０には、レリーズスイッチ１４からＳ１信号およびＳ２信号が入力される。また、本体制御部５０には、ボディ側信号接点１９Ａが接続されている。
【００４８】
本体制御部５０は、レンズ制御部３１が検出するフォーカスリング２７の回転方向および回転量の情報に応じてフォーカスレンズ３９を移動させる制御信号をレンズ制御部３１に送信する。レンズ制御部３１は、制御信号に基づいてモータドライバ３２を制御し、フォーカスレンズ３９を移動させる。
【００４９】
本体制御部５０は、レンズ制御部３１が検出する絞り操作リング２８の回転位置の情報に応じて絞りユニット４１を動作させ、絞り径を変更するための制御信号をレンズ制御部３１に送信する。レンズ制御部３１は、本体制御部５０からの制御信号に基づいてモータドライバ３２を制御し、絞り操作リング２８の回転位置に対応する絞り値が得られるように絞りユニット４１の絞り径を制御する。
【００５０】
シャッタユニット５１は、いわゆるフォーカルプレーンシャッターであり、マウント１９と固体撮像素子２１との間に配置されている。シャッタユニット５１は、撮影光学系２６と固体撮像素子２１との間の光路を遮断可能に設けられており、開口状態と閉口状態との間で変化する。シャッタユニット５１は、ライブビュー画像および動画撮影時に開口状態とされる。シャッタユニット５１は、静止画撮影時には、開口状態から一時的に閉口状態になる。このシャッタユニット５１は、シャッタモータ６１により駆動される。モータドライバ５２は、シャッタモータ６１の駆動を制御する。
【００５１】
固体撮像素子２１は、本体制御部５０により駆動制御される。固体撮像素子２１は、シャッタユニット５１、画像データ処理部５４などとともに撮影部を構成する。撮影部は、マウント１９に交換レンズ１２が装着された状態で撮影を行う。固体撮像素子２１は、例えば、ＣＭＯＳ型イメージセンサであり、２次元マトリクス状に配列された複数の画素（図示せず）により構成された受光面を有している。各画素は、光電変換素子を含んでおり、交換レンズ１２により受光面に結像された被写体像を光電変換して撮像信号を生成する。また、固体撮像素子２１は、電子シャッタ機能を有しており、シャッタ速度（電荷蓄積時間）が調整可能である。
【００５２】
また、固体撮像素子２１は、ノイズ除去回路、オートゲインコントローラ、Ａ／Ｄ変換回路等の信号処理回路（いずれも図示せず）を備える。ノイズ除去回路は、撮像信号にノイズ除去処理を施す。オートゲインコントローラは、撮像信号のレベルを最適な値に増幅する。Ａ／Ｄ変換回路は、撮像信号をデジタル信号に変換して固体撮像素子２１からバスライン６０に出力する。固体撮像素子２１の出力信号は、画素ごとに１つの色信号を有する画像データ（いわゆるＲＡＷデータ）である。
【００５３】
画像メモリ５３は、バスライン６０に出力された１フレーム分の画像データを格納する。画像データ処理部５４は、画像メモリ５３から１フレーム分の画像データを読み出し、マトリクス演算、デモザイク処理、γ補正、輝度・色差変換、リサイズ処理などの公知の画像処理を施す。
【００５４】
ＬＣＤドライバ５６は、画像データ処理部５４で画像処理された１フレーム分の画像データを順次に背面表示部２２に入力する。背面表示部２２は、ライブビュー画像を一定の周期で順次に表示する。カードＩ／Ｆ５７は、カメラ本体１１に設けられたカードスロット（図示せず）内に組み込まれており、カードスロットに挿入されたメモリカード６２と電気的に接続する。カードＩ／Ｆ５７は、画像データ処理部５４で画像処理された画像データをメモリカード６２に格納する。また、メモリカード６２に格納されている画像データを再生表示する際には、カードＩ／Ｆ５７は、メモリカード６２から画像データを読み出す。
【００５５】
操作ボタン２３の操作により設定モードが選択された場合、本体制御部５０は、ＬＣＤドライバ５６を駆動制御して背面表示部２２に設定メニューを表示させる。この設定メニューは、固体撮像素子２１、シャッタユニット５１、画像データ処理部５４などからなる撮影部の撮影機能を設定可能とする。設定メニューには、本体制御部５０が後述する設定メニュー変更部として機能した場合、複数の設定項目からユーザーの使用状況に合わせて選択された複数の表示用設定項目が表示される。
【００５６】
図５は、背面表示部２２に表示される設定メニューの一例であり、初心者向けの基本メニューＭ１を示している。この基本メニューＭ１では、画質モード、顔検出／瞳ＡＦ設定、セルフタイマー、シャッタ方式、感度ＡＵＴＯ設定、フラッシュモード、動画モードなどの複数の表示用設定項目が表示される。
【００５７】
ユーザーが基本メニューＭ１に基づき、撮影機能を設定する場合、例えば、操作ボタン２３を操作することにより複数の表示用設定項目から、１つの表示用設定項目を選択する。図５に示す例では、網掛け表示された画質モードの表示用設定項目が選択される。
【００５８】
画質モードの表示用設定項目が選択された場合、図６に示すように、ＦＩＮＥ、ＮＯＲＭＡＬ、ＦＩＮＥ+ＲＡＷ、ＮＯＲＭＡＬ+ＲＡＷ、ＲＡＷなどの選択候補からなる画質モードの選択候補一覧が表示される。操作ボタン２３を操作することにより、この選択候補一覧から画質モードの設定が選択される。この選択候補一覧において、ＦＩＮＥは、ＮＯＲＭＡＬよりもデータの圧縮率が低い画像を取得する高画質のモードである。ＲＡＷは、データを圧縮せずに画像を記録するため、ＦＩＮＥよりもさらに高画質のモードである。また、ＦＩＮＥ+ＲＡＷは、ＦＩＮＥとＲＡＷの両方の画像を取得し、ＮＯＲＭＡＬ+ＲＡＷは、ＮＯＲＭＡＬとＲＡＷの両方の画像を記録するモードである。
【００５９】
顔検出／瞳ＡＦ設定の表示用設定項目が選択された場合、図７に示すように、顔検出ＯＮ／瞳ＡＦ＿ＯＦＦ、顔検出ＯＮ／瞳ＡＦ＿ＯＮ、顔検出ＯＦＦ／瞳ＡＦ＿ＯＦＦなどの選択候補からなる顔検出／瞳ＡＦ設定の選択候補一覧が表示される。選択候補一覧から、顔検出ＯＮ／瞳ＡＦ＿ＯＦＦを選択すると、人物の顔を検出し、顔にピントを合わせることができる。また、顔検出ＯＮ／瞳ＡＦ＿ＯＮを選択すると、人物の顔を検出し、目の位置にピントを合わせることができる。顔検出ＯＦＦ／瞳ＡＦ＿ＯＦＦを選択すると、顔検出を行わない。
【００６０】
セルフタイマーの表示用設定項目が選択された場合、図８に示すように、ＯＦＦ、２Ｓ、１０Ｓなどの選択候補からなるセルフタイマーの選択候補一覧が表示される。選択候補一覧から、ＯＦＦを選択するとセルフタイマーを使用しない。一方、２Ｓまたは１０Ｓを選択するとレリーズスイッチ１４を全押ししてから２秒後または１０秒後に撮影を行うセルフタイマーを使用することができる。
【００６１】
また、シャッタ方式の表示用設定項目が選択された場合、図９に示すように、ＭＳ、ＥＳ、ＭＳ+ＥＳなどの選択候補からなるシャッタ方式の選択候補一覧が表示される。選択候補一覧から、ＭＳを選択するとシャッタユニット５１によるメカシャッタで撮影を行うことができ、ＥＳを選択すると、電子シャッタで撮影を行うことができる。また、ＭＳ+ＥＳを選択すると、メカシャッタと電子シャッタのうち、例えば、シャッタスピードに適した一方が自動的に選択された状態で撮影を行うことができる。
【００６２】
感度ＡＵＴＯ設定の表示用設定項目が選択された場合、図１０に示すように、ＡＵＴＯ１〜ＡＵＴＯ３からなる感度ＡＵＴＯ設定の選択候補一覧が表示される。この感度ＡＵＴＯ設定は、シャッタスピード／ＩＳＯ感度ダイヤル１６の操作によりＩＳＯ感度の設定をＡＵＴＯに合わせた場合の上限ＩＳＯ感度の設定である。この例では、ＡＵＴＯ１がＩＳＯ８００、ＡＵＴＯ２がＩＳＯ１６００、ＡＵＴＯ３がＩＳＯ３２００となっている。ＩＳＯ感度の設定をＡＵＴＯに合わせた場合、感度ＡＵＴＯ設定で選択された上限ＩＳＯ感度以下の範囲内で固体撮像素子２１の感度が自動的に調節される。
【００６３】
フラッシュモードの表示用設定項目が選択された場合、図１１に示すように、ＡＵＴＯ、強制発光、スローシンクロ、後幕シンクロ、コマンダー、発光禁止などのフラッシュモードの選択候補一覧が表示される。なお、カメラ１０では、内蔵ストロボを備えていないため、ホットシュー１７に外付けフラッシュ装置１８が装着された場合に、フラッシュモードが選択可能となる。
【００６４】
選択候補一覧からＡＵＴＯを選択すると、図示しない測光センサにより被写体が暗いと判断した場合にフラッシュが自動的に発光する。一方、強制発光を選択すると、周囲の明るさに関わらず、強制的にフラッシュが発光する。また、スローシンクロを選択すると、シャッタスピードを遅く、且つシャッタにフラッシュを同期させて発光する。後幕シンクロを選択すると、シャッタが閉じる直前にフラッシュを発光させる。また、発光禁止が選択された場合、周囲の明るさに関わらず、フラッシュを発光させない。
【００６５】
動画モードの表示用設定項目が選択された場合、図１２に示すように、ＦＵＬＬＨＤ６０ｆｐｓ、ＦＵＬＬＨｄ３０ｆｐｓ、ＨＤ６０ｆｐｓ、ＨＤ３０ｆｐｓなどの動画モードの選択候補一覧が表示される。選択候補一覧からＦＵＬＬＨＤ６０ｆｐｓが選択された場合、フレームレートが６０ｆｐｓ（１秒間あたりのフレーム数が６０）のフルハイビジョン動画を撮影するモードである。同様に、ＦＵＬＬＨＤ３０ｆｐｓはフレームレートが３０ｆｐｓのフルハイビジョンの動画を、ＨＤ６０ｆｐｓはフレームレートが６０ｆｐｓのハイビジョン動画を、ＨＤ３０ｆｐｓはフレームレートが３０ｆｐｓのハイビジョン動画を撮影するモードである。
【００６６】
また、図１３は、背面表示部２２に表示される設定メニューの別の一例であり、上級者向けの詳細メニューＭ２を示している。この詳細メニューＭ２では、画像サイズ、画質モード、記録方式、フィルムシミュレーション、ダイナミックレンジ、ホワイトバランス、ハイライトゾーンなどの複数の表示用設定項目が表示される。なお、図１３に示す表示用設定項目は、詳細メニューＭ２の一部分であり、例えば画質に関する設定項目のみが表示されている。詳細メニューＭ２は、例えば、複数ページから構成され、各ページに複数の表示用設定項目が表示される。また、この場合、操作ボタン２３により詳細メニューＭ２のページを切り換えることができる。なお、詳細メニューとしては、上述した画質に関する設定項目の他に、例えば、フォーカス、ブラケティング、自動調光に関する設定項目がある。
【００６７】
図１４に示すように、本体制御部５０は、マウント１９に装着された交換レンズ１２のレンズ種別を検出するレンズ種別検出部として機能する。具体的には、本体制御部５０は、マウント１９に交換レンズ１２が装着された場合、交換レンズ１２のレンズ側記憶部３５から、信号接点１９Ａ，３０Ａおよびレンズ制御部３１を介して交換レンズ１２のレンズ種別を取得する。
【００６８】
本体制御部５０は、レンズ側記憶部３５から取得された交換レンズ１２のレンズ種別毎に、交換レンズ１２がマウント１９に装着された装着回数、および撮影部による撮影回数をカウントして本体側記憶部５８に記憶させる。本体側記憶部５８は、例えば、レンズ側記憶部３５と同様の不揮発性メモリから構成される。
【００６９】
図１４に示す例では、標準レンズ、広角レンズ、望遠レンズなどのレンズ種別を取得し、これらのレンズ種別毎に、装着回数、および撮影回数をカウントして本体側記憶部５８に記憶されている。
【００７０】
さらに、本体制御部５０は、設定メニュー変更部として機能する。具体的には、本体制御部５０は、マウント１９に交換レンズ１２が装着された場合に、レンズ側記憶部３５から取得された交換レンズ１２のレンズ種別と、本体側記憶部５８に記憶された装着回数および撮影回数のうちの交換レンズ１２のレンズ種別に対応する装着回数および撮影回数とに応じて、設定メニューを変更する。
【００７１】
本体制御部５０は、レンズ側記憶部３５から取得されたレンズ種別が特定のレンズ種別である場合に設定メニューを変更する。本実施形態では、標準レンズを特定のレンズ種別として検出する。標準レンズとは、本実施形態の交換レンズ１２のように、撮影光学系の焦点が可変であるズームレンズであって、且つカメラ本体１１とセットで販売されるような標準的なズームレンズである。
【００７２】
本実施形態では、本体制御部５０は、レンズ側記憶部３５から取得されたレンズ種別が標準レンズである場合に、上述した本体側記憶部５８から読み出した装着回数に対して、撮影回数に比例する重み値で重み付けする。そして、この重み付けした装着回数に応じて設定メニューを変更する。具体的には、重み付けした装着回数が設定値以上の場合、設定メニューを変更するものであり、さらに具体的には、上述した詳細メニューＭ２から基本メニューＭ１へ変更する。すなわち、本体制御部５０は、設定メニューとして表示する表示用設定項目を変更する。
【００７３】
交換レンズ１２のレンズ種別と、交換レンズ１２のレンズ種別に対応する装着回数および撮影回数とに応じて、設定メニューを変更する処理手順について、図１５に示すフローチャートに沿って説明する。なお、この図１５に示す例では、交換レンズ１２が装着される前は、設定メニューとして詳細メニューＭ２が表示される初期設定となっている。
【００７４】
カメラ１０が設定モード下で、カメラ本体１１に交換レンズ１２が装着状態の場合（Ｓ１１でＹ）、本体制御部５０は、装着された交換レンズ１２のレンズ側記憶部３５からレンズ種別を取得し、交換レンズ１２のレンズ種別を検出する（Ｓ１２）。
【００７５】
次に検出されたレンズ種別が標準レンズであるか否かを判定する（Ｓ１３）。レンズ種別が標準レンズである場合（Ｓ１３でＹ）、本体側記憶部５８から標準レンズに対応する装着回数および撮影回数を読み出す（Ｓ１４）。なお、レンズ種別が標準レンズではない場合（Ｓ１３でＮ）、設定メニューを変更しない。すなわち、詳細メニューＭ２を表示する（Ｓ１７）。
【００７６】
Ｓ１４で読み出された装着回数および撮影回数に基づき、撮影回数に比例する重み値に基づいて装着回数を重み付けする（Ｓ１５）。Ｓ１５で重み付けした装着回数が設定値以上の場合（Ｓ１６でＹ）、設定メニューを変更する。本実施形態では、初期設定として表示されていた詳細メニューＭ２から基本メニューＭ１に設定メニューを変更する（Ｓ１８）。一方、Ｓ１５で重み付けした装着回数が設定値未満の場合（Ｓ１６でＮ）、設定メニューを変更しない（Ｓ１７）。
【００７７】
カメラ１０を使用するユーザーのうち、特に初心者のユーザーやカメラ１０を購入して間もないユーザーなどは、標準レンズを使用することが多いため、初心者向けの基本メニューＭ１が適している。これにより、カメラ１０は、ユーザーの使用状況に合わせた適正な設定メニューを表示することができる。
【００７８】
また、撮影回数に比例する重み値で重み付けした装着回数に応じて設定メニューを変更しているので、より精度の高い判断でユーザーの使用状況に合わせた設定メニューを表示することができる。なお、本実施形態では、本体側記憶部５８から読み出した装着回数に対して、撮影回数に比例する重み値で重み付けしているが、これに限らず、本体側記憶部５８から読み出した撮影回数に対して、装着回数に比例する重み値で重み付けしてもよい。この場合、重み付けした撮影回数が設定値以上の場合、設定メニューを変更する。
【００７９】
上記第１実施形態では、レンズ側記憶部３５から取得された交換レンズ１２のレンズ種別と、本体側記憶部５８に記憶された装着回数および撮影回数のうちの交換レンズ１２のレンズ種別に対応する装着回数および撮影回数とに応じて、設定メニューを詳細メニューから基本メニューに変更している。すなわち、設定メニューとして表示する表示用設定項目を変更しているが、これに限るものではなく、表示用設定項目の順序を変更してもよい。例えば、特定のレンズ種別が標準レンズであり、重み付けした装着回数または重み付した撮影回数が設定値以上の場合、初心者向けの表示用設定項目を変更前の設定メニューよりも上の位置にする。
【００８０】
あるいは、設定メニューとして表示する表示用設定項目の数を変更してもよい。例えば、レンズ側記憶部３５から取得されたレンズ種別が特定のレンズ種別である標準レンズであり、重み付けした装着回数または重み付した撮影回数が設定値以上の場合、初心者向けではない表示用設定項目を変更前の設定メニューから削除する。このように設定メニューとして表示する表示用設定項目の数を初期値よりも少なくする場合、フォーカス設定項目、フラッシュ設定項目、動画設定項目の少なくともいずれか１つの表示用設定項目を削除することが好ましい。
【００８１】
［第２実施形態］
上記第１実施形態では、特定のレンズ種別として１種類の交換レンズ１２を対象とし、レンズ側記憶部３５から取得されたレンズ種別が特定のレンズ種別である場合、交換レンズ１２のレンズ種別に対応する装着回数および撮影回数に応じて、設定メニューを変更する例を上げているが、これに限るものでは無く、以下で説明する第２実施形態では、特定のレンズ種別である複数種類の交換レンズ１２を対象とし、レンズ側記憶部３５から取得されたレンズ種別が特定のレンズ種別である場合、特定のレンズ種別である複数種類の交換レンズ１２に対応する装着回数および撮影回数の合計に応じて、設定メニューを変更する。
【００８２】
第２実施形態では、図１６に示すように、特定のレンズ種別として固定焦点レンズを対象としている。固定焦点レンズとは、変倍レンズおよびズーム機構を持たず、撮影光学系の焦点距離が固定された交換レンズ１２である。また、レンズ側記憶部３５には、レンズ種別とレンズＩＤとが記憶されている。本体制御部５０は、マウント１９に交換レンズ１２が装着された場合に、レンズ側記憶部３５から交換レンズ１２のレンズ種別とレンズＩＤとを取得する。
【００８３】
本体制御部５０は、レンズ側記憶部３５から取得された交換レンズ１２のレンズ種別およびレンズＩＤ毎に、交換レンズ１２がマウント１９に装着された装着回数、および撮影部による撮影回数をカウントして本体側記憶部５８に記憶させる。図１６に示す例では、ズーレンズ、固定焦点レンズなどのレンズ種別と、レンズＩＤとを取得し、装着回数、および撮影回数が本体側記憶部５８に記憶されている。また、レンズＩＤがＡ００１のズームレンズ、レンズＩＤがＢ００１〜Ｂ００３の固定焦点レンズについて、装着回数、および撮影回数が本体側記憶部５８に記憶されている。
【００８４】
本体制御部５０は、レンズ側記憶部３５から取得されたレンズ種別が固定焦点レンズである場合に、本体側記憶部５８から固定焦点レンズである複数種類の交換レンズ１２に対応する装着回数および撮影回数を読み出す。そして、本体制御部５０は、上述した本体側記憶部５８から読み出した装着回数の合計に対して、撮影回数の合計に比例する重み値で重み付けする。そして、この重み付けした装着回数の合計に応じて設定メニューを変更する。具体的には、重み付けした装着回数の合計が設定値以上の場合、設定メニューを変更するものであり、さらに具体的には、上述した基本メニューＭ１から詳細メニューＭ２へ変更する。
【００８５】
検出された交換レンズ１２が特定のレンズ種別である場合、特定のレンズ種別である複数種類の交換レンズ１２に対応する装着回数および撮影回数の合計に応じて、設定メニューを変更する処理手順について、図１７に示すフローチャートに沿って説明する。なお、この図１７に示す例では、交換レンズ１２が装着される前は、設定メニューとして基本メニューＭ１が表示される初期設定となっている。
【００８６】
カメラ１０が設定モード下で、カメラ本体１１に交換レンズ１２が装着状態の場合（Ｓ２１でＹ）、本体制御部５０は、装着された交換レンズ１２のレンズ側記憶部３５から交換レンズ１２のレンズ種別およびレンズＩＤを検出する（Ｓ２２）。
【００８７】
次に検出されたレンズ種別が固定焦点レンズであるか否かを判定する（Ｓ２３）。レンズ種別が固定焦点レンズである場合（Ｓ２３でＹ）、本体側記憶部５８から複数種類の固定焦点レンズに対応する装着回数および撮影回数を読み出す（Ｓ２４）。図１６に示す例では、Ｂ００１〜Ｂ００３の固定焦点レンズについて、装着回数、および撮影回数を読み出す。なお、レンズ種別が固定焦点レンズではない場合（Ｓ２３でＮ）、設定メニューを変更しない（Ｓ２７）。
【００８８】
Ｓ２４で読み出された装着回数および撮影回数に基づき、撮影回数の合計に比例する重み値に基づいて装着回数の合計を重み付けする（Ｓ２５）。Ｓ２５で重み付けした装着回数の合計が設定値以上の場合（Ｓ２６でＹ）、設定メニューを変更する。本実施形態では、初期設定として表示されていた基本メニューＭ１から詳細メニューＭ２に設定メニューを変更する（Ｓ２８）。一方、Ｓ２５で重み付けした装着回数の合計が設定値未満の場合（Ｓ２６でＮ）、設定メニューを変更しない（Ｓ２７）。
【００８９】
カメラ１０を使用するユーザーのうち、上級者といわれるユーザーなどは、被写体に応じて固定焦点レンズを交換して使用することが多いため、上級者向けの詳細メニューＭ２が適している。これにより、カメラ１０は、ユーザーの使用状況に合わせた適正な設定メニューを表示することができる。
【００９０】
上記第２実施形態では、レンズ側記憶部３５から取得された種別が特定のレンズ種別である固定焦点レンズであり、本体側記憶部５８から読み出され、固定焦点レンズである複数種類の交換レンズ１２に対応する装着回数および撮影回数に応じて、設定メニューを基本メニューから詳細メニューに変更しているが、これに限るものではなく、表示用設定項目の順序を変更してもよい。例えば、特定のレンズ種別が固定焦点レンズであり、重み付けした装着回数の合計が設定値以上の場合、上級者向けの表示用設定項目を変更前の設定メニューよりも上の位置にする。
【００９１】
あるいは、設定メニューとして表示する表示用設定項目の数を変更してもよい。例えば、レンズ側記憶部３５から取得されたレンズ種別が特定のレンズ種別である固定焦点レンズであり、重み付けした装着回数の合計が設定値以上の場合、上級者向けの表示用設定項目を変更前の設定メニューに対して追加する。すなわち、設定メニューとして表示する表示用設定項目の数を初期値よりも多くする。
【００９２】
上記第２実施形態では、本体側記憶部５８から読み出した装着回数の合計に対して、撮影回数の合計に比例する重み値で重み付けしているが、これに限らず、本体側記憶部５８から読み出した撮影回数の合計に対して、装着回数の合計に比例する重み値で重み付けしてもよい。この場合、重み付けした撮影回数が設定値以上の場合、設定メニューを変更する。
【００９３】
［第３実施形態］
上記第１および第２実施形態では、特定のレンズ種別または特定のレンズ種別である複数種類の交換レンズに対応する装着回数および撮影回数に応じて、設定メニューを変更する例を上げているが、以下で説明する第３実施形態では、装着回数および撮影回数に加えて、装着累積時間をカウントし、装着回数、装着累積時間、および撮影回数に応じて設定メニューを変更する。
【００９４】
第３実施形態では、図１８に示すように、本体制御部５０は、タイマ５０Ａを有する。これにより、本体制御部５０は、レンズ側記憶部３５から取得された交換レンズ１２のレンズ種別毎に、マウント１９に交換レンズ１２が装着された装着累積時間をカウントして本体側記憶部５８に記憶させる。なお、本体制御部５０が交換レンズ１２のレンズ種別毎に、装着回数、および撮影部による撮影回数をカウントして本体側記憶部５８に記憶させる点については、上記第１実施形態と同様である。
【００９５】
本実施形態では、本体制御部５０は、レンズ側記憶部３５から取得されたレンズ種別が特定のレンズ種別である標準レンズの場合に、本体側記憶部５８から標準レンズに対応する装着回数、撮影回数、および装着累積時間を読み出す。そして、読み出した装着回数、装着累積時間、および撮影回数の少なくともいずれか１つが設定値以上の場合、設定メニューを変更する。具体的には、読み出した装着回数、装着累積時間、および撮影回数の少なくともいずれか１つが設定値以上の場合、上述した詳細メニューＭ２から基本メニューＭ１へ変更する。
【００９６】
交換レンズ１２のレンズ種別と、交換レンズ１２のレンズ種別に対応する装着回数、撮影回数、および装着累積時間とに応じて、設定メニューを変更する処理手順について、図１９に示すフローチャートに沿って説明する。なお、この図１９に示す例では、交換レンズ１２が装着される前は、設定メニューとして詳細メニューＭ２が表示される初期設定となっている。
【００９７】
カメラ１０が設定モード下で、カメラ本体１１に交換レンズ１２が装着状態の場合（Ｓ３１でＹ）、本体制御部５０は、装着された交換レンズ１２のレンズ側記憶部３５からレンズ種別を取得し、交換レンズ１２のレンズ種別を検出する（Ｓ３２）。
【００９８】
次に検出されたレンズ種別が標準レンズであるか否かを判定する（Ｓ３３）。レンズ種別が標準レンズである場合（Ｓ３３でＹ）、本体側記憶部から標準レンズに対応する装着回数、装着累積時間、および撮影回数を読み出す（Ｓ３４）。なお、レンズ種別が標準レンズではない場合（Ｓ３３でＮ）、設定メニューを変更しない（Ｓ３６）。
【００９９】
Ｓ３４で読み出された装着回数、装着累積時間、および撮影回数の少なくともいずれか１つが設定値以上の場合（Ｓ３５でＹ）、設定メニューを変更する。本実施形態では、初期設定として表示されていた詳細メニューＭ２から基本メニューＭ１に設定メニューを変更する（Ｓ３７）。一方、Ｓ３４で読み出された装着回数、装着累積時間、および撮影回数の全てが設定値未満の場合（Ｓ３５でＮ）、設定メニューを変更しない（Ｓ３６）。
【０１００】
装着回数、撮影回数に加えて、装着累積時間によって、設定メニューの変更を判断しているため、上記第１および第２実施形態よりも精度の高い判断でユーザーの使用状況に合わせた設定メニューを表示することができる。
【０１０１】
上記第３実施形態では、装着回数、撮影回数、および装着累積時間の少なくともいずれか１つが設定値以上の場合設定メニューを変更しているが、これに限るものではなく、例えば、本体側記憶部５８から読み出した装着累積時間に対して、装着回数、撮影回数のいずれか一方に比例する重み値で重み付けしてもよい。この場合、重み付けした装着累積時間が設定値以上の場合、設定メニューを変更する。また、特定のレンズ種別と、特定のレンズ種別に対応する装着累積時間とに応じて行う設定メニューの変更では、上記第１実施形態と同様に、設定メニューとして表示する表示用設定項目を変更すること、あるいは、設定メニューとして表示する表示用設定項目の順序を変更すること、設定メニューとして表示する表示用設定項目の数を変更することなどが好ましい。
【０１０２】
上記第３実施形態では、特定のレンズ種別である１種類の交換レンズ１２を対象とし、検出された交換レンズ１２が特定のレンズ種別である場合、交換レンズ１２のレンズ種別に対応する装着回数、撮影回数、および装着累積時間に応じて、設定メニューを変更する例を上げているが、これに限るものでは無く、第２実施形態と同様に、特定のレンズ種別である複数種類の交換レンズを対象とし、検出された交換レンズ１２が特定のレンズ種別である場合、特定のレンズ種別である複数種類の交換レンズ１２に対応する装着回数、撮影回数、および装着累積時間の合計に応じて、設定メニューを変更してもよい。この場合、例えば装着回数、撮影回数、および装着累積時間の少なくとも１つの合計が設定値以上の場合、設定メニューを変更する。
【０１０３】
あるいは、本体側記憶部５８から読み出した装着累積時間の合計に対して、装着回数、撮影回数のいずれか一方の合計に比例する重み値で重み付けしてもよい。この場合、重み付けした装着累積時間の合計が設定値以上の場合、設定メニューを変更する。
【０１０４】
［第４実施形態］
上記第３実施形態では、装着回数、装着累積時間、および撮影回数に応じて設定メニューを変更する例を上げているが、以下で説明する第４実施形態では、単に設定メニューを変更するのではなく、装着回数、装着累積時間、および撮影回数に応じて設定メニューを初期値に戻す。図２０に示すように、本実施形態のカメラ本体７１では、レンズ側記憶部３５および本体側記憶部５８とは異なる履歴記憶部７２を備える。なお、第１〜第３実施形態と同一構成部品には同一符号を付して重複した説明を省略している。
【０１０５】
本実施形態では、本体制御部５０は、上記第２実施形態と同様に特定のレンズ種別である複数種類の交換レンズ１２を対象とし、且つ上記第３実施形態と同様に、装着回数、撮影回数、および装着累積時間をカウントして本体側記憶部５８に記憶する。そして、本体制御部５０は、特定のレンズ種別である複数種類の交換レンズ１２に対応する装着回数、装着累積時間、および撮影回数のいずれか２つ以上の合計が設定値以上である場合に、設定メニューを初期値にリセットする。また、特定のレンズ種別として固定焦点レンズを対象としている。
【０１０６】
さらに、本体制御部５０は、設定メニュー変更部として設定メニューが初期値にリセットされた場合に、本体側記憶部５８に記憶されたカウント数を初期値にリセットし、かつレンズ種別毎に記憶されたリセット前の装着回数、装着累積時間、および撮影部による撮影回数を履歴記憶部７２に記憶させる。
【０１０７】
交換レンズ１２のレンズ種別と、特定のレンズ種別である複数種類の交換レンズ１２に対応する装着回数、撮影回数、および装着累積時間とに応じて、設定メニューを初期値に戻す処理手順について、図２１に示すフローチャートに沿って説明する。なお、この図２１に示す例では、設定メニューがリセットされる前、基本メニューＭ１が初期値となっている。
【０１０８】
カメラ１０が設定モード下で、カメラ本体１１に交換レンズ１２が装着状態の場合（Ｓ４１でＹ）、本体制御部５０は、装着された交換レンズ１２のレンズ側記憶部３５からレンズ種別を取得し、交換レンズ１２のレンズ種別を検出する（Ｓ４２）。
【０１０９】
次に検出されたレンズ種別が固定焦点レンズであるか否かを判定する（Ｓ４３）。レンズ種別が固定焦点レンズである場合（Ｓ４３でＹ）、本体側記憶部５８から複数種類の固定焦点レンズに対応する装着回数、撮影回数、および装着累積時間を読み出す（Ｓ４４）。なお、レンズ種別が固定焦点レンズではない場合（Ｓ４３でＮ）、設定メニューを変更しない（Ｓ４５）。
【０１１０】
Ｓ４４で読み出された装着回数、装着累積時間、および撮影回数のいずれか２つ以上の合計が設定値以上の場合（Ｓ４５でＹ）、設定メニューを初期値にリセットする（Ｓ４６）。本実施形態では、初期値に設定された基本メニューＭ１に設定メニューを戻す。一方、Ｓ４４で読み出された装着回数、装着累積時間、および撮影回数のいずれか２つ以上の合計が設定値未満の場合（Ｓ４５でＮ）、上記第１〜第３実施形態と同様の処理を行い、装着回数、装着累積時間、および撮影回数に応じて設定メニューを変更する（Ｓ４７）。
【０１１１】
設定メニューをリセットした場合（Ｓ４６）、本体側記憶部５８に記憶された装着回数、装着累積時間、および撮影回数もリセットする（Ｓ４８）。さらに、レンズ種別毎に記憶されたリセット前の装着回数、装着累積時間、および撮影部による撮影回数を履歴記憶部７２に記憶させる（Ｓ４９）。
【０１１２】
特定のレンズ種別である複数種類の交換レンズ１２を対象とし、装着回数、撮影回数、および装着累積時間のいずれか２つ以上の合計が設定値以上となった場合、カメラ１０を通常使用しているユーザーではない異なるユーザーが使用した可能性が高い。よって、この場合、設定メニューを初期値に戻すため、通常使用しているユーザーの使用状況に合わせた適正な設定メニューを表示することができる。
【０１１３】
［第５実施形態］
上記第１〜第４実施形態では、特定のレンズ種別、または特定のレンズ種別である複数種類の交換レンズに対応する装着回数、撮影回数、装着累積時間に応じて、設定メニューを変更する例を上げているが、以下で説明する第５実施形態では、位置情報および時刻情報を取得し、関連付けて記憶された撮影位置、撮影時刻などに基づき、設定メニューを変更する。図２２に示すように、本実施形態のカメラ本体７６では、ＧＰＳ（global positioning system）信号受信部７７を備える。なお、第１〜第４実施形態と同一構成部品には同一符号を付して重複した説明を省略している。
【０１１４】
ＧＰＳ信号受信部７７は、カメラ１０の現在の位置情報を取得する位置情報取得部である。本実施形態では、本体制御部５０は、マウント１９に交換レンズ１２が装着された際の装着時刻、マウント１９から交換レンズ１２が取り外された際の装着解除時刻、および撮影部による撮影時刻を取得する時刻取得部として機能する。
【０１１５】
図２３の一例に示すように、本体制御部５０は、交換レンズ１２のレンズ種別毎に、装着時刻、装着解除時刻および撮影時刻においてＧＰＳ信号受信部７７で取得した位置情報と、装着時刻と、装着解除時刻と、撮影時刻とを関連付けて本体側記憶部５８に記憶させる。なお、これに限らず、上記第１〜第４実施形態と同様に、交換レンズ１２のレンズ種別毎に、装着回数、撮影回数をカウントして、位置情報、装着時刻などとともに本体側記憶部５８に記憶させてもよい。
【０１１６】
図２３に示す例では、標準レンズ、広角レンズ、望遠レンズなどのレンズ種別を取得し、これらのレンズ種別毎に、装着時刻、装着解除時刻および撮影時刻を取得し、さらに装着時刻、装着解除時刻および撮影時刻においてＧＰＳ信号受信部７７で取得した位置情報が本体側記憶部５８に記憶されている。なお、本体側記憶部５８に記憶される位置情報は、例えば、緯度と経度とからなる位置情報である。
【０１１７】
本体制御部５０は、レンズ側記憶部３５から取得されたレンズ種別が特定のレンズ種別であって、特定のレンズ種別に対応し、ＧＰＳ信号受信部７７で取得した現在の位置情報、および現在時刻の少なくとも一方と一致する位置情報および撮影時刻と関連付けて記憶された情報を本体側記憶部５８から読み出す。なお、ここでいう「一致」とは、ほぼ一致する場合を含むものであり、例えば、現在の位置情報および現在時刻の少なくとも一方と、本体側記憶部５８に記憶された位置情報および撮影時刻とが、所定の時間差内または所定の距離範囲内にあることをいう。また、本実施形態では、特定のレンズ種別は標準レンズである。
【０１１８】
さらに、本体制御部５０は、本体側記憶部５８から読み出された情報に基づき、特定のレンズ種別に対応し、現在の位置情報、および現在時刻の少なくとも一方と、本体側記憶部５８に記憶された位置情報、および撮影時刻が一致する場合における装着回数、装着累積時間、および撮影回数の少なくともいずれか１つが設定値以上の場合、設定メニューを変更する。
【０１１９】
位置情報および時刻情報を取得し、過去の撮影場所、撮影時刻などに基づき、設定メニューを変更する処理手順について、図２４に示すフローチャートに沿って説明する。なお、この図２４に示す例では、交換レンズ１２が装着される前は、設定メニューとして詳細メニューＭ２が表示される初期設定となっている。
【０１２０】
カメラ１０が設定モード下で、カメラ本体１１に交換レンズ１２が装着状態の場合（Ｓ５１でＹ）、本体制御部５０は、装着された交換レンズ１２のレンズ側記憶部３５からレンズ種別を取得し、交換レンズ１２のレンズ種別を検出する（Ｓ５２）。
【０１２１】
次に検出されたレンズ種別が標準レンズであるか否かを判定する（Ｓ５３）。レンズ種別が標準レンズである場合（Ｓ５３でＹ）、本体制御部５０は、現在の位置情報、および現在時刻を取得する（Ｓ５４）。なお、レンズ種別が標準レンズではない場合（Ｓ５３でＮ）、設定メニューを変更しない（Ｓ５９）。
【０１２２】
標準レンズに対応し、Ｓ５４で取得した現在の位置情報、および現在時刻の少なくとも一方と一致する位置情報および撮影時刻と関連付けられて記憶された情報を本体側記憶部５８から読み出す（Ｓ５５）。Ｓ５５で読み出した装着時刻、装着解除時刻および撮影時刻の時刻情報から装着回数、撮影回数、装着累積時間を算出する（Ｓ５６）。なお、装着回数、撮影回数については、上記第１〜第４実施形態と同様に、本体制御部５０がカウントして本体側記憶部５８に記憶したものを用いてもよい。
【０１２３】
Ｓ５６で算出された装着回数、装着累積時間、および撮影回数の少なくともいずれか１つが設定値以上の場合（Ｓ５７でＹ）、設定メニューを変更する。本実施形態では、初期設定として表示されていた詳細メニューＭ２から基本メニューＭ１に設定メニューを変更する（Ｓ５８）。一方、Ｓ５８で算出された装着回数、装着累積時間、および撮影回数の全てが設定値未満の場合（Ｓ５７でＮ）、設定メニューを変更しない（Ｓ５９）。
【０１２４】
以上のように、現在の位置情報、および現在時刻の少なくとも一方と一致する位置情報および撮影時刻と関連付けられて記憶された装着時刻、装着解除時刻および撮影時刻の時刻情報などに基づき、設定メニューを変更しているので、上記各実施形態に加えて位置情報および時刻情報も加味して判断しているため、より精度の高い判断でユーザーの使用状況に合わせた設定メニューを表示することができる。
【０１２５】
［第６実施形態］
上記第５実施形態では、位置情報および時刻情報を取得し、関連付けて記憶された撮影位置、撮影時刻などに基づき、設定メニューを変更する例を上げているが、以下で説明する第６実施形態では、単に設定メニューを変更するのではなく、現在の位置情報および時刻情報の少なくとも一方と一致する撮影位置、撮影時刻に基づき、設定メニューを初期値に戻す。本実施形態のカメラ本体は、上記第５実施形態の各構成部品に、第４実施形態の履歴記憶部７２を加えたものである。
【０１２６】
本実施形態では、本体制御部５０は、上記第２および第４実施形態と同様に特定のレンズ種別である複数種類の交換レンズ１２を対象とし、且つ上記第５実施形態と同様に、レンズ種別毎に、装着時刻、装着解除時刻および撮影時刻を取得し、さらに装着時刻、装着解除時刻および撮影時刻においてＧＰＳ信号受信部７７で取得した位置情報を関連付けて本体側記憶部５８に記憶する。
【０１２７】
そして、本体制御部５０は、特定のレンズ種別に対応し、現在の位置情報、および現在時刻の少なくとも一方と、本体側記憶部５８に記憶された位置情報、および撮影時刻が一致する場合における装着回数、装着累積時間、および撮影回数のいずれか２つ以上の合計が設定値以上である場合に、設定メニューを初期値にリセットし、かつレンズ種別毎に記憶されたリセット前の装着回数、装着累積時間、および撮影部による撮影回数を履歴記憶部７２に記憶させる。また、特定のレンズ種別として固定焦点レンズを対象としている。
【０１２８】
位置情報および時刻情報を取得し、過去の撮影場所、撮影時刻などに基づき、設定メニューを初期値に戻す処理手順について、図２５に示すフローチャートに沿って説明する。なお、この図２５に示す例では、設定メニューがリセットされる前、基本メニューＭ１が初期値となっている。
【０１２９】
カメラ１０が設定モード下で、カメラ本体１１に交換レンズ１２が装着状態の場合（Ｓ６１でＹ）、本体制御部５０は、装着された交換レンズ１２のレンズ側記憶部３５からレンズ種別を取得し、交換レンズ１２のレンズ種別を検出する（Ｓ６２）。
【０１３０】
次に検出されたレンズ種別が固定焦点レンズであるか否かを判定する（Ｓ６３）。レンズ種別が標準レンズである場合（Ｓ６３でＹ）、本体制御部５０は、現在の位置情報、および現在時刻を取得する（Ｓ６４）。なお、レンズ種別が固定焦点レンズではない場合（Ｓ６３でＮ）、設定メニューを変更しない（Ｓ６５）。
【０１３１】
固定焦点レンズに対応し、Ｓ６４で取得した現在の位置情報、および現在時刻の少なくとも一方と一致する位置情報および撮影時刻と関連付けられて記憶された情報を本体側記憶部５８から読み出す（Ｓ６６）。Ｓ６６で読み出した装着時刻、装着解除時刻および撮影時刻の時刻情報から装着回数、撮影回数、装着累積時間を算出する（Ｓ６７）。なお、装着回数、撮影回数については、上記第１〜第５実施形態と同様に、本体制御部５０がカウントして本体側記憶部５８に記憶したものを用いてもよい。
【０１３２】
Ｓ６７で算出された装着回数、装着累積時間、および撮影回数のいずれか２つ以上が設定値以上の場合（Ｓ６８でＹ）、設定メニューを初期値にリセットする（Ｓ６９）。本実施形態では、初期値に設定された基本メニューＭ１に設定メニューを戻す。一方、Ｓ６７で算出された装着回数、装着累積時間、および撮影回数のいずれか２つ以上が設定値未満の場合（Ｓ６８でＮ）、上記第５実施形態と同様の処理を行い、装着回数、装着累積時間、および撮影回数に応じて設定メニューを変更する（Ｓ７０）。
【０１３３】
設定メニューをリセットした場合（Ｓ６９）、本体側記憶部５８に関連付けて記憶されたレンズ種別毎の装着時刻、装着解除時刻、撮影時刻、位置情報もリセットする（Ｓ７１）。さらに、Ｓ６７で算出されたリセット前の装着回数、装着累積時間、および撮影部による撮影回数を履歴記憶部７２に記憶させる（Ｓ７２）。
【０１３４】
以上のように、現在の位置情報、および現在時刻の少なくとも一方と一致する位置情報および撮影時刻と関連付けられて記憶された時刻情報などに基づき、設定メニューをリセットしており、上記第４実施形態に加えて位置情報および時刻情報も加味して判断しているため、より精度の高い判断でユーザーの使用状況に合わせた設定メニューを表示することができる。
【０１３５】
上記第６実施形態の変形例として、一度リセットされたレンズ種別毎の位置情報および時刻情報を読み出し、リセット前の装着回数、装着累積時間、および撮影部による撮影回数に基づき、設定メニューを変更する例を図２６に示すフローチャートに沿って説明する。なお、この図２６に示す例では、設定メニューがリセットされる前、基本メニューＭ１が初期値となっている。
【０１３６】
カメラ１０が設定モード下で、カメラ本体１１に交換レンズ１２が装着状態の場合（Ｓ８１でＹ）、本体制御部５０は、装着された交換レンズ１２のレンズ側記憶部３５からレンズ種別を取得し、交換レンズ１２のレンズ種別を検出する（Ｓ８２）。
【０１３７】
次に検出されたレンズ種別が固定焦点レンズであるか否かを判定する（Ｓ８３）。レンズ種別が標準レンズである場合（Ｓ８３でＹ）、本体制御部５０は、現在の位置情報、および現在時刻を取得する（Ｓ８４）。なお、レンズ種別が固定焦点レンズではない場合（Ｓ８３でＮ）、設定メニューを変更しない（Ｓ８５）。
【０１３８】
固定焦点レンズに対応し、Ｓ８４で取得した現在の位置情報、および現在時刻の少なくとも一方と一致する位置情報および撮影時刻と関連付けられて記憶された情報を本体側記憶部５８から読み出す（Ｓ８６）。Ｓ８６で読み出した装着時刻、装着解除時刻および撮影時刻の時刻情報から装着累積時間などを算出する（Ｓ８７）。
【０１３９】
Ｓ８７で算出された装着回数、装着累積時間、および撮影回数の全てが設定値未満か否かを判定する（Ｓ８８）。装着回数、装着累積時間、および撮影回数の全てが設定値未満である場合（Ｓ８８でＹ）、本体側記憶部５８に関連付けて記憶されたレンズ種別毎の装着時刻、装着解除時刻、撮影時刻、位置情報がリセット済みか否かの判定に進む（Ｓ８９）。
【０１４０】
一方、装着回数、装着累積時間、および撮影回数の少なくともいずれか１つが設定値以上である場合（Ｓ８８でＮ）、上記第６実施形態と同様に、装着回数、装着累積時間、および撮影回数に応じて設定メニューを変更、またはリセットする（Ｓ９０）。Ｓ８９でリセット済みでは無い場合（Ｓ８９でＮ）も、上記第６実施形態と同様に、装着回数、装着累積時間、および撮影回数に応じて設定メニューを変更、またはリセットする（Ｓ９０）。
【０１４１】
レンズ種別毎の装着時刻、装着解除時刻、撮影時刻、位置情報がリセット済みの場合（Ｓ８９でＹ）、履歴記憶部７２にレンズ種別毎に記憶されたリセット前の装着回数、装着累積時間、および撮影部による撮影回数を読み出す（Ｓ９１）。そしてＳ９１で読み出したレンズ種別毎の装着回数、装着累積時間、および撮影部による撮影回数に基づき、上記第５実施形態と同様の処理を行い、設定メニューを変更する（Ｓ９２）。
【０１４２】
以上のように、ユーザーの使用状況によって、リセット前の装着回数、装着累積時間、および撮影部による撮影回数などに基づき、設定メニューを変更することがきるので、より精度の高い判断でユーザーの使用状況に合わせた設定メニューを表示することができる。
【０１４３】
上記第１、第３および第５実施形態では、特定のレンズ種別としてズームレンズである標準レンズを対象としているが、これに限らず、特定のレンズ種別として固定焦点レンズを対象としてもよい。例えば、マウント１９に装着された交換レンズ１２として検出されたレンズ種別が固定焦点レンズであって、本体側記憶部５８から読み出され、固定焦点レンズに対応する装着回数などが設定値以上である場合に、上記第２実施形態と同様に、設定メニューを上級者向けの詳細メニューにすること、あるいは、上級者向けの表示用設定項目を変更前の設定メニューよりも上の位置にすること、上級者向けの表示用設定項目を変更前の設定メニューに対して追加することなどが好ましい。
【０１４４】
なお、上級者向けの表示用設定項目としては、上記各実施形態で説明したものの他に、ＡＦ＋ＭＦモード、ＭＦアシスト、被写界深度スケールに関する設定などがある。ＡＦ＋ＭＦモードは、オートフォーカスとマニュアルフォーカスの両方の機能を用いる撮影モードであり、表示用設定項目で、ＡＦ＋ＭＦモードをＯＮにした場合、レリーズスイッチ１４を半押し状態で、オートフォーカスでフォーカス調節を行い、さらに、レリーズスイッチ１４を半押し状態にしたままフォーカスリング２７を回転させるとマニュアルフォーカスでフォーカス調節を行うことができる。
【０１４５】
また、ＭＦアシストに関する設定は、例えば、マニュアルフォーカスでフォーカス量の確認を行う表示方法に関する設定であり、フォーカス量を互いに離間した２つの指標で表すスプリットイメージや、ライブビュー画像の表示でピントが合った部分の輪郭を強調するフォーカスピーキングなどの表示方法がある。
【０１４６】
また、上記第２、第４および第６実施形態では、特定のレンズ種別として固定焦点レンズを対象としているが、これに限らず、特定のレンズ種別としてズームレンズを対象としてもよい。例えば、マウント１９に装着された交換レンズ１２として検出されたレンズ種別がズームレンズであって、本体側記憶部５８から読み出され、ズームレンズである複数種類の交換レンズ１２に対応する装着回数の合計などが設定値以上である場合に、上記第１実施形態と同様に、設定メニューを初心者向けの基本メニューにすること、あるいは、初心者向けの表示用設定項目を変更前の設定メニューよりも上の位置にすること、初心者向けではない表示用設定項目を変更前の設定メニューから削除することなどが好ましい。
【０１４７】
上記第１〜第６実施形態では、標準レンズ、固定焦点レンズを特定のレンズ種別として検出しているが、これに限るものではなく、広角レンズや大口径レンズを特定のレンズ種別としてもよい。
【０１４８】
広角レンズを特定のレンズ種別とした場合、例えば、マウント１９に装着された交換レンズ１２として検出されたレンズ種別が広角レンズであって、広角レンズである複数種類の交換レンズ１２に対応する装着回数の合計などが設定値以上である場合、設定メニューとして風景撮影に適した表示用設定項目を表示することが好ましい。なお、風景撮影としては、自然撮影、スナップショットなどが含まれる。風景撮影に適した表示用設定項目としては、例えばフォーカスや、測光モードに関する設定などがある。
【０１４９】
大口径レンズを特定のレンズ種別とした場合、例えば、マウント１９に装着された交換レンズ１２として検出されたレンズ種別が大口径レンズであって、大口径レンズである複数種類の交換レンズ１２に対応する装着回数、撮影回数、および装着累積時間の少なくともいずれか１つの合計が設定値以上である場合、設定メニューとして夜景撮影またはポートレート撮影に適した表示用設定項目を表示することが好ましい。設定メニューとして夜景撮影またはポートレート撮影に適した表示用設定項目としては、ダイナミックレンジ、フラッシュに関する設定などがある。
【０１５０】
上記各実施形態では、マウント１９に装着された交換レンズ１２として検出された交換レンズ１２のレンズ種別毎に、装着回数、撮影回数、装着累積時間などをカウントして本体側記憶部５８に記憶させているが、これに限らず、本体制御部５０でカウントしたレンズ種別毎の装着回数、撮影回数、装着累積時間などを、マウント１９に装着状態の交換レンズ１２に転送し、レンズ側記憶部３５に記憶させてもよい。この場合、本体制御部５０は、交換レンズ１２のレンズ側記憶部３５から読み出されたレンズ種別毎の装着回数、撮影回数、装着累積時間などに応じて設定メニューを変更する。
【０１５１】
上記各実施形態では、ミラーレス一眼タイプのデジタルカメラを例に説明したが、一眼レフタイプのデジタルカメラなどその他のレンズ交換型デジタルカメラにも適用することができる。
【符号の説明】
【０１５２】
１０  レンズ交換式デジタルカメラ
１１，７１，７６  カメラ本体
１２  交換レンズ
１３  電源レバー
１４  レリーズスイッチ
１５  露出補正ダイヤル
１６  シャッタスピード／ＩＳＯ感度ダイヤル１７  ホットシュー
１８  外付けフラッシュ装置
１９  マウント
１９Ａ  ボディ側信号接点
２０  光学ファインダ窓
２１  固体撮像素子
２２  背面表示部
２３  操作ボタン
２４  ファインダ接眼部
２５  鏡筒部
２６  撮影光学系
２７  フォーカスリング
２８  絞り操作リング
２９  ズームリング
３０  レンズマウント
３０Ａ  レンズ側信号接点
３１  レンズ制御部
３２  モータドライバ
３３，３４  モータ
３５  レンズ側記憶部
３６  ズーム機構
３７，３８  センサ
３９  フォーカスレンズ
４０  変倍レンズ
４１  絞りユニット
４１ａ  絞り羽根
５０  本体制御部
５０Ａ  タイマ
５１  シャッタユニット
５２  モータドライバ
５３  画像メモリ
５４  画像データ処理部
５５  処理部
５６  ＬＣＤドライバ
５７  カードＩ／Ｆ
５８  本体側記憶部
５９  ＥＶＦパネル
６０  バスライン
６１  シャッタモータ
６１  シャッタユニット
６２  メモリカード
７２  履歴記憶部
７７  ＧＰＳ信号受信部
７７  履歴記憶部
【図１】
0006473547.tif 000002
【図２】
0006473547.tif 000003
【図３】
0006473547.tif 000004
【図４】
0006473547.tif 000005
【図５】
0006473547.tif 000006
【図６】
0006473547.tif 000007
【図７】
0006473547.tif 000008
【図８】
0006473547.tif 000009
【図９】
0006473547.tif 000010
【図１０】
0006473547.tif 000011
【図１１】
0006473547.tif 000012
【図１２】
0006473547.tif 000013
【図１３】
0006473547.tif 000014
【図１４】
0006473547.tif 000015
【図１５】
0006473547.tif 000016
【図１６】
0006473547.tif 000017
【図１７】
0006473547.tif 000018
【図１８】
0006473547.tif 000019
【図１９】
0006473547.tif 000020
【図２０】
0006473547.tif 000021
【図２１】
0006473547.tif 000022
【図２２】
0006473547.tif 000023
【図２３】
0006473547.tif 000024
【図２４】
0006473547.tif 000025
【図２５】
0006473547.tif 000026
【図２６】
0006473547.tif 000027